(57)【要約】【課題】プリンター部の上部にスキャナー部を備え、スキャナー部が開閉可能に設けられた画像形成装置において、プリンター部とスキャナー部を結ぶ電線類の破損、コネクターの抜け、静電気による電気部品の破損を防止し、見た目もすっきりさせる。【解決手段】スキャナー部の回転支持部材の近傍に筒状の部材をスキャナー部或はプリンター部の筐体から一体的に設け、スキャナー部とプリンター部を接続する全ての電線部材を筒状の部材の内部を配線し、スキャナー部を開いた状態でも電線部材は筒状部材により被覆されている構成とする。【選択図】図２
2005258025.tif 000002
【特許請求の範囲】
【請求項１】
記録材に画像を記録する画像形成手段を有するプリンター部と該プリンター部の上部に原稿を読み取ると共に、読み取った画像情報を前記画像形成手段に供給する画像読み取り手段としてのスキャナー部を有し、前記スキャナー部は前記プリンター部に対して開閉自在に回転支持部材で連結された画像形成装置において、
前記スキャナー部の回転支持部材の近傍に前記スキャナー部或は前記プリンター部から一体的に構成される筒状の部材を設け、前記スキャナー部と前記プリンター部を接続する全ての電線部材は前記筒状の部材の内部を配線され、前記スキャナー部を開いた状態でも前記電線部材は前記筒状部材により被覆されていることを特徴とする画像形成装置。
【請求項２】
前記画像を記録された記録材は、前記プリンター部と前記スキャナー部で構成される空間部に排紙積載される構成を有することを特徴とする請求項１記載の画像形成装置。
【請求項３】
前記スキャナー部を開くことにより、前記プリンター部のメンテナンスカバーを開くことが可能となる空間を構成することを特徴とする請求項１又は２記載の画像形成装置。
【発明の詳細な説明】
【技術分野】
【０００１】
本発明は、原稿を読み取るスキャナー部と記録材に画像を形成するプリンター部とを有する画像形成装置に関するものであり、特にスキャナー部とプリンター部との間の電気配線に関するものである。
【背景技術】
【０００２】
近年、ファクシミリ・複写機・プリンターとしての機能を併せ持つ複合機（ＭＦＰ）としての画像形成装置において、図４に示すように設置面積の省スペース化を目的に画像形成後の記録材Ｐを原稿読み取り部としてのスキャナー・ユニット部１と、その下部に設けられた画像形成部としてのプリンター・ユニット部２との間に形成される排紙積載空間部３に排出積載させる所謂胴内排紙のものが主流になりつつある。
【０００３】
このような画像形成装置において、図５及び図６に示すように、プリンター部２の筐体の上面側がメンテナンスカバー１４として開閉する必要がある装置、或は排紙積載された記録紙を取り出し易くするために、プリンター部２に対してスキャナー部１が開閉する構成が採られている装置がある。このような画像形成装置において、排紙積載紙Ｐはプリンター部１の外装を構成するトップカバー１６と、カートリッジ交換、ジャム処理のために開閉するメンテナンスカバー１４から構成される排紙トレー部に記録紙Ｐを排紙積載する構成となっている。
【０００４】
上記構成の画像形成において、ユーザーがスキャナー部１を開放した際に、図５及び図６に示すように、スキャナー部１とプリンター部２を接続する多くの電線部材１７が露出された状態になる。
【０００５】
複写機においても、原稿圧板に原稿用紙のオートフィーダー（ＡＤＦ）を有するシートスルー式のスキャナー部が、フラットベッド式のスキャナーを有する画像形成装置本体に対して開閉するが、ＡＤＦと装置本体を結ぶ電線類は装置背面でコードにより連結され剥き出しになっている。
【０００６】
【特許文献１】特開２０００−１３１９０７号公報
【発明の開示】
【発明が解決しようとする課題】
【０００７】
しかしながら、従来例においては、ユーザーがスキャナー部１を開閉する頻度は比較的多く、スキャナー部１の開閉動作による電線類１７の屈曲の繰返しによる破損、或はユーザーが電線類に触れてしまい、破損してしまう危険性がある。
【０００８】
更に、スキャナー部１の開閉動作による電線類１７の動きや、ユーザーが誤って電線類１７を引っ張って該電線類１７のコネクター部が抜かれてしまう可能性もある。
【０００９】
又、電線類に触れることで静電気による電気部品類の破損も懸念される。
【００１０】
これらの問題を解決するために、電線類を被覆部材で巻いて保護している装置が一般的であるが、根本的な解決策にはなっていないのが現状である。
【００１１】
本発明は上記問題に鑑みてなされたもので、その目的とする処は、プリンター部の上部にスキャナー部を備え、スキャナー部が開閉可能に設けられた画像形成装置において、プリンター部とスキャナー部を結ぶ電線類の破損、コネクターの抜け、静電気による電気部品の破損を防止し、見た目もすっきりさせることにある。
【課題を解決するための手段】
【００１２】
上記課題を解決するため、本発明では、スキャナー部とプリンター部を接続する全ての電線部材を回転支持部材の近傍に設け、且つ、スキャナー部或はプリンター部から一体的に構成される筒状の部材の内部を配線され、スキャナー部を開いた状態でも電線部材は筒状部材により被覆されているように構成することで電線類を完全に装置内部に収める。
【発明の効果】
【００１３】
本発明によれば、スキャナー部とプリンター部を接続する全ての電線類を完全に装置内部に収める構成を採用するため、ユーザーが触れることもなく、電線の破損或は静電気による電気部品の破損等も発生しない。
【００１４】
又、電線類はスキャナー部回転支持部の近傍に設けられ、且つ、スキャナー部或はプリンター部から一体的に構成される筒状の部材の内部を配線されるため、スキャナー部の開閉による電線部材の屈曲の繰返しもなく電線にストレスを与えることがないため、電線が破損することもない。更に、スキャナー部を開いても電線類がユーザーから見えることもないため、デザイン的にも、実質安全上も大幅に向上する。
【発明を実施するための最良の形態】
【００１５】
以下に本発明の実施形態を添付図面に基づいて説明する。
【００１６】
図１は本発明を実施した画像形成装置を装置正面側から見た斜視図であり、スキャナー部１を開いた状態を示している。図２は本発明を実施した画像形成装置のスキャナー部１を開いた状態（図１）の主縦断面図を示すものである。
【００１７】
図１及び図２に示す画像形成装置は、プリンター部２の上部に画像読み取り部としてのスキャナー部１を配置し、プリンター部２とスキャナー部１の間に排紙積載空間部３を形成している。
【００１８】
図１及び図２において、スキャナー部１を開くことでプリンター部２上方のメンテナンスカバー１４が開き、開口部４を形成する。そして、この開口部４からカートリッジ７の交換、ジャム処理等のメンテナンスを行うことができる。
【００１９】
一方、プリンター部２の下部には記録材Ｐを積載する記録材積載部９を有し、ピックアップローラ１１により１枚毎分離給送された記録材Ｐには、感光体ドラム１２を有する現像カートリッジ７と転写ローラ１０でトナー画像が形成され、定着装置８で記録材Ｐ上のトナー画像が加圧及び加熱されて定着画像となって排紙トレー５上に画像を記録された記録材Ｐとして排紙積載される。
【００２０】
スキャナー部１は、フラットベッド式のスキャナー部１ａと原稿圧板に原稿用紙のオートフィーダー（ＡＤＦ）を有するシートスルー式のスキャナー部１ｂから構成されている。
【００２１】
又、スキャナー部１は、ヒンジ部１５を中心に所定の角度だけ開閉可能に設けられ、ヒンジ部１５にはスキャナー部１の開閉動作をサポートする図示しないダンパー機構（通常複写機等で使用されるカムと圧縮バネで構成されるダンパー機構）が設けてある。
【００２２】
更に、ＡＤＦを有する原稿圧板１ｂは、フラットベッド式のスキャナー部１ａに対してヒンジ部１９を中心に所定の角度だけ開閉し、本等の厚みのある原稿も挟めるようになっている。
【００２３】
図１及び図２に示すように、フラットベッドスキャナー部１ａのヒンジ部１５の側面近傍には、フラットベッドスキャナーの筐体と一体的に筒状の部材２０が構成されている。そして、この筒状の部材２０の先端部は、プリンター部２に設けた開口部２１に挿入され、図３に示すようにスキャナー部１を閉めるとプリンター部１の内部に入り込む構成となっている。この筒状部材２０の内部を通って、スキャナー部１からプリンター部２への電線類２２の配線が行われる。
【００２４】
又、図１及び図２に示すように、この筒状の部材２０は、ヒンジ部１５の近傍側面に設けられているので、スキャナー部１の開閉に伴う電線類２２の動きは殆んどなく、電線類２２へのストレスは掛からない。
【００２５】
更に、電線類２２は完全に筒状の部材２０で覆われているので、ユーザーが誤って触れることもなく、電線の破損、コネクターの抜け、静電気による電気部品の破損といった不具合の発生もなくなる。
【００２６】
尚、以上の実施の形態では、電子写真方式の画像形成装置を例に述べてきたが、インクジェット方式の画像形成装置においても同様に実施することができる。
【００２７】
又、フラットベッドスキャナー部のＡＤＦを備えた原稿圧板の開閉部に本発明を実施することもできる。
【産業上の利用可能性】
【００２８】
本発明は、原稿を読み取るスキャナー部と記録材に画像を形成するプリンター部とを有する画像形成装置に対して有用である。
【図面の簡単な説明】
【００２９】
【図１】本発明を実施した画像形成装置を装置正面側から見たスキャナー部開状態の斜視図である。
【図２】本発明を実施した画像形成装置（図１）の主縦断面図である。
【図３】スキャナー部を閉めた状態を示す主縦断面図である。
【図４】従来の画像形成装置を装置正面側から見た斜視図（スキャナー部閉状態）である。
【図５】従来の画像形成装置を装置正面側から見た斜視図（スキャナー部開状態）である。
【図６】従来の画像形成装置の主縦断面図である。
【符号の説明】
【００３０】
１    スキャナー部
１ａ  フラットベットスキャナー部
１ｂ  原稿圧板
２    プリンター部
３    記録材積載空間部
４    メンテナンス用開口部
７    現像カートリッジ
８    定着器
９    記録材積載手段（カセットトレイ）
１０  転写ローラ
１１  ピックアップローラ
１２  感光体ドラム
１４  メンテナンスカバー
１５  スキャナー部開閉ヒンジ（ダンパー機構装備）
１８  操作パネル
１９  原稿圧板部開閉ヒンジ
２０  筒状部材
２１  プリンター部の開口部
１７，２２  電線部材
【図１】
2005258025.tif 000003
【図２】
2005258025.tif 000004
【図３】
2005258025.tif 000005
【図４】
2005258025.tif 000006
【図５】
2005258025.tif 000007
【図６】
2005258025.tif 000008